(57)【要約】【課題】画像変調素子の冷却構造として小型で冷却効率の高い投射型表示装置を提供する。【解決手段】第１の吸気部および第１の排気部を備える第１の送風手段と、前記第１の送風手段と直交して配置され、第２の吸気部および第２の排気部を備え、前記第２の排気部が前記第１の排気部と異なる高さ位置であって、前記第２の排気部が前記第１の排気部と同じ排気方向である第２の送風手段と、前記第１の排気部に接続され、前記第１の排気部と同じ高さを維持する第１の導風手段と、前記第２の排気部に接続され、前記第２の排気部と同じ高さを維持する第２の導風手段と、前記第１の導風手段によって冷却される第１の画像変調素子と、前記第２の導風手段によって冷却される第２の画像変調素子と、前記第１の画像変調素子および前記第２の画像変調素子に表示される画像を投射面に投射する投射光学系と、を有する。【選択図】図１
2014191165.tif 000002
【特許請求の範囲】
【請求項１】
第１の吸気部および第１の排気部を備える第１の送風手段と、
前記第１の送風手段と直交して配置され、第２の吸気部および第２の排気部を備え、前記第２の排気部が前記第１の排気部と異なる高さ位置であって、前記第２の排気部が前記第１の排気部と同じ排気方向である第２の送風手段と、
前記第１の排気部に接続され、前記第１の排気部と同じ高さを維持する第１の導風手段と、
前記第２の排気部に接続され、前記第２の排気部と同じ高さを維持する第２の導風手段と、
前記第１の導風手段によって冷却される第１の画像変調素子と、
前記第２の導風手段によって冷却される第２の画像変調素子と、
前記第１の画像変調素子および前記第２の画像変調素子に表示される画像を投射面に投射する投射光学系と、
を有することを特徴とする投射型表示装置。
【請求項２】
前記第１の吸気部および前記第１の排気部は、流路が互いに直交し、かつ、前記第２の吸気部および前記第２の排気部も、流路が互いに直交することを特徴とする請求項１に記載の投射型表示装置。
【請求項３】
前記第１の送風手段と前記第２の送風手段とがＬ字状に配置されることを特徴とする請求項１または２に記載の投射型表示装置。
【請求項４】
前記第１の送風手段と前記第２の送風手段とがＬ字状に配置され、かつ、
前記第１の送風手段および前記第２の送風手段に対向する空間に設けられる発熱体と、
前記空間に向けて筺体外から筐体内に空気を吸気する筐体吸気部と、
前記筐体吸気部と前記空間を結ぶ方向に筺体内から筐体外へ空気を排気する筐体排気部と、
を有することを特徴とする請求項１または２に記載の投射型表示装置。
【請求項５】
前記筐体吸気部と連通する前記第１の吸気部、前記第２の吸気部の夫々の吸気方向が直交することを特徴とする請求項４に記載の投射型表示装置。
【請求項６】
前記筐体吸気部は前記投射面と同じ側に設けられる一方、前記筐体排気部は前記投射面と反対側に設けられることを特徴とする請求項４または５に記載の投射型表示装置。
【請求項７】
前記第１の導風手段から分岐した第３の導風手段によって冷却される第３の画像変調素子を有することを特徴とする請求項１乃至６のいずれか１項に記載の投射型表示装置。
【請求項８】
前記第２の画像変調素子に対する送風量は、前記第１の画像変調素子、前記第３の画像変調素子に対する送風量より大きいことを特徴とする請求項７に記載の投射型表示装置。
【請求項９】
前記第１の画像変調素子および前記第２の画像変調素子並びに前記第３の画像変調素子を照明する光源を含む光源ユニットが設けられることを特徴とする請求項７または８に記載の投射型表示装置。
【請求項１０】
前記第１の送風手段および前記第２の送風手段に対向する空間に設けられる発熱体と、
前記空間に向けて筺体外から筐体内に空気を吸気する筐体吸気部と、
前記筐体吸気部と前記空間を結ぶ方向に筺体内から筐体外へ空気を排気する筐体排気部と、
前記空間に設けられ、前記光源ユニットを冷却する第３の送風手段と、
を有することを特徴とする請求項９に記載の投射型表示装置。
【請求項１１】
前記第３の送風手段は、吸気で前記発熱体を冷却する一方、排気で前記光源ユニットを冷却することを特徴とする請求項１０に記載の投射型表示装置。
【請求項１２】
前記投射光学系に関して前記第１の送風手段および前記第２の送風手段と反対側に設けられる基板ユニットと、
前記投射光学系に関して前記第１の送風手段および前記第２の送風手段と反対側に設けられ、前記基板ユニットを冷却する第４の送風手段を有することを特徴とする請求項１乃至１１のいずれか１項に記載の投射型表示装置。
【請求項１３】
前記第１の画像変調素子および前記第２の画像変調素子を照明する光源を有し、
前記第４の送風手段は、吸気で前記基板ユニットを冷却する一方、排気で前記光源を冷却することを特徴とする請求項１２に記載の投射型表示装置。
【請求項１４】
前記第１の画像変調素子、前記第２の画像変調素子を光路中で異なる高さ位置に備える色分離合成光学系を有することを特徴とする請求項１乃至１３のいずれか１項に記載の投射型表示装置。
【請求項１５】
前記第１の画像変調素子および前記第２の画像変調素子は、夫々反射型画像変調素子であることを特徴とする請求項１乃至１４のいずれか１項に記載の投射型表示装置。
【請求項１６】
前記第１の画像変調素子および前記第２の画像変調素子は、前記投射光学系に対して水平方向で一方側に配置されることを特徴とする請求項１乃至１５のいずれか１項に記載の投射型表示装置。
【請求項１７】
前記発熱体は前記光源を点灯する電源回路であることを特徴とする請求項１０または１１に記載の投射型表示装置。
【発明の詳細な説明】
【技術分野】
【０００１】
本発明は、光源からの光を画像変調素子（液晶パネル等）の表示部を通して投射面（スクリーン等）に拡大投射するプロジェクタ等の投射型表示装置に関し、特に画像変調素子の冷却構成に関するものである。
【背景技術】
【０００２】
近年、液晶プロジェクタに代表される投射型表示装置は、急速に需要拡大し、需要の拡大に伴い、用途も多様化している。例えば、教育市場では講義にプロジェクタが用いられ、講義ごとにプロジェクタを別の講堂に移動して運ぶような状況があり、高い輸送性を実現するために小型で軽量であることが求められる。また、講堂にプロジェクタが備え付けられるような常時設置の場合では、視聴者の邪魔にならないように高さが低いプロジェクタが好まれる。
【０００３】
また、投射型表示装置に用いられる画像変調素子には、例えば液晶パネルが用いられ、長期に渡って安定して使用するために、ある一定の温度以下に制御するための冷却が必要とされている。なお、画像変調素子の冷却は、ファンによる空冷が一般的であり、羽根の回転により空気の対流を発生させるが、この時、羽根の回転数に比例して、羽根と空気が干渉することによって騒音が発生する。この騒音が大きいと、プロジェクタの視聴時に耳障りな不快な音として認識されるため、ファンの羽根の回転数を抑えることができるように冷却効率の高い冷却方法が求められる。
【０００４】
ここで、特許文献１では、画像変調素子を冷却する一対のファンが、投射レンズに隣接して両側に設けられ、ファンの各吸気部が筺体に設けられた吸気部（筺体吸気部）と連通し、ファンの回転方向が左右対称となるように配置されている。この構成によって、筺体の下方部から上方部に向かって画像変調素子を冷却する構成を採っている。
【先行技術文献】
【特許文献】
【０００５】
【特許文献１】特許第３５５８０８４号公報
【発明の概要】
【発明が解決しようとする課題】
【０００６】
しかしながら、筺体の下方部から上方部に向かって画像変調素子を冷却する特許文献１の構成では、以下のような問題がある。すなわち、一対のファンのどちらか一方の排気部の高さが前記下方部の高さと異なるために、流路を高さ方向に変更する必要があり、流路抵抗がその分大きくなってしまい、冷却効率が低下する。
【０００７】
また、特許文献１では、筺体の下方部から上方部に向かって画像変調素子を冷却する際に、投射レンズの下方部に筺体外からの空気を吸気する筐体吸気部を設けて、投射レンズの両脇のファンに吸気させている。しかし、投射レンズがレンズシフト機構によって筺体に対して上下に動くような場合は、筐体吸気部からの導風流路を大きくすると、筺体が高さ方向に大型化する懸念がある。一方、導風流路が小さいと流路抵抗が上がり冷却効率が低下してしまう。
【０００８】
また、特許文献１に示す画像変調素子の冷却構成は、筺体の下方部もしくは上方部に向かって導風する場合には有効であるが、筺体の側面方向に向って導風し画像変調素子を冷却する構成には向いていない。液晶プロジェクタの画像変調素子は色分離合成光学系内に用いられるが、この色分離合成光学系の配置は筺体の投射方向に対して水平に色の分離合成する場合と、高さ方向に色の分離合成する場合が考えられる。そして、高さ方向に色の分離合成する場合でも、小型の液晶プロジェクタを実現するためには、筺体の側面方向に冷却することができる構成が求められる。
【０００９】
本発明の目的は、画像変調素子の冷却構造として小型で冷却効率の高い投射型表示装置を提供することにある。
【課題を解決するための手段】
【００１０】
上記目的を達成するために、本発明に係る投射型表示装置は、第１の吸気部および第１の排気部を備える第１の送風手段と、前記第１の送風手段と直交して配置され、第２の吸気部および第２の排気部を備え、前記第２の排気部が前記第１の排気部と異なる高さ位置であって、前記第２の排気部が前記第１の排気部と同じ排気方向である第２の送風手段と、前記第１の排気部に接続され、前記第１の排気部と同じ高さを維持する第１の導風手段と、前記第２の排気部に接続され、前記第２の排気部と同じ高さを維持する第２の導風手段と、前記第１の導風手段によって冷却される第１の画像変調素子と、前記第２の導風手段によって冷却される第２の画像変調素子と、前記第１の画像変調素子および前記第２の画像変調素子に表示される画像を投射面に投射する投射光学系と、を有することを特徴とする。
【発明の効果】
【００１１】
本発明によれば、画像変調素子の冷却構造として小型で冷却効率の高い投射型表示装置を提供できる。
【図面の簡単な説明】
【００１２】
【図１】（ａ）は本発明の実施形態に係る投射型画像表示装置の光学構成図、（ｂ）は色分離合成光学系を冷却する吸気部分の斜視図である。
【図２】本発明の実施形態に係る投射型画像表示装置の上面図である。
【図３】本発明の実施形態に係る冷却構成を示した上面図である。
【図４】本発明の実施形態に係る色分離合成光学系を冷却する流路のＡ−Ａ断面拡大図である。
【図５】本発明の実施形態に係る色分離合成光学系を冷却する流路のＢ−Ｂ断面拡大図である。
【発明を実施するための形態】
【００１３】
以下、図面を用いて本発明の実施形態を説明する。
【００１４】
《第１の実施形態》
（投射型表示装置）
投射型表示装置の全体構成を示す図２において、１は光源であるランプ、２は不図示の複数のバネ部材にてランプ１および後述する防爆凸レンズ３を保持するランプホルダ、３はランプ１からの光を集光する機能を備えた防爆凸レンズである。４はランプ１およびランプホルダ２および防爆凸レンズ３および不図示の複数の部材によって構成されるランプユニットである。
【００１５】
αはランプ１からの光を入射する照明光学系、βは照明光学系からの出射光を入射するＲ・Ｇ・Ｂの３色用の液晶パネルを光路中異なる高さ位置に備えた色分離合成光学系である。５は色分離合成光学系βからの出射光を入射して不図示のスクリーン（投射面）に画像を投射する投射レンズユニットであり、投射レンズユニット５内には後述する投射レンズ光学系（投射光学系）を収納している。
【００１６】
６はランプユニット４、照明光学系α、色分離合成光学系βを収納するとともに投射レンズユニット５が固定される光源ユニット（光学ボックス）である。７は光学ボックス６内に照明光学系α、色分離合成光学系βを収納した状態で蓋をする不図示の光学ボックス蓋である。８は電源であり、不図示のＡＣインレットを有し、後述する外装キャビネット１８に組み込まれ、筺体内に電気が供給される。９はバラスト（ランプ１を点灯するための点灯電源装置であって発熱体）であり、電源８およびランプ１と電気的に接続される。
【００１７】
１０は、後述する外装キャビネット１８に設けられた筐体吸気部（筐体吸気口）１８ａから外気を吸入した空気の排気にて色分離合成系βの光学素子を冷却する光学冷却ファンＡである。１１は、後述する外装キャビネット１８に設けられた筐体吸気部１８ａから外気を吸入した空気の排気にて色分離合成系βの光学素子を冷却する光学冷却ファンＢである。
【００１８】
本実施形態では、第１の吸気部および第１の排気部を備える第１の送風手段としての光学冷却ファンＡ１０は、該第１の吸気部および該第１の排気部において、流路(風路)が互いに直交するシロッコファンである。また、第２の吸気部および第２の排気部を備える第２の送風手段としての光学冷却ファンＢ１１は、該第２の吸気部および該第２の排気部において、流路(風路)が互いに直交するシロッコファンである。
【００１９】
そして、光学冷却ファンＢ１１は、第２の排気部が第１の排気部と異なる高さ位置で同じ排気方向となるように光学冷却ファンＡ１０と直交して配置されている。ここで、筐体吸気部１８ａと連通する第１の吸気部、第２の吸気部の夫々の吸気方向は、図１（ｂ）に示すように直交（第１の吸気部、第２の吸気部は、バラスト９と上下方向、水平方向に対向）している。なお、光学冷却ファンＡ１０および光学冷却ファンＢ１１は、投射レンズユニット５の一方側に設けられている。
【００２０】
１２は、光学冷却ファンＡ１０と光学冷却ファンＢ１１を保持し、後述する筐体吸気部１８ａから外気を吸入し、光学冷却ファンＡ１０、光学冷却ファンＢ１１の第１の吸気部、第２の吸気部に導風する光学冷却ファン吸気ダクトである。１３ａは光学冷却ファンＡ１０から排気された空気を色分離合成系βに導風する光学冷却ファン排気ダクトＡ（第１の導風手段）である。また、１３ｂは光学冷却ファンＢ１１から排気された空気を色分離合成系βに導風する光学冷却ファン排気ダクトＢ（第２の導風手段）である。
【００２１】
１４は後述する排気ファン(第３の送風手段)、１５は排気ファン１４を保持する排気ファンホルダである。１６は後述するランプ冷却ファン（第４の送風手段）、１７はランプ冷却ダクト、１８は外装キャビネット（外装ケース下部）である。外装キャビネット１８は、筐体内に外気を取り込む筐体吸気部１８ａと筐体外に排熱する筐体排気部１８ｂを備える。１９は外装キャビネット１８と組み付き筐体全体を覆う不図示の外装キャビネット蓋（外装ケース上部）である。
【００２２】
後述する図４、図５に示す２０は、吸気口１８ａに近接して取り付き、筐体内へ外気を吸入する際に筐体内に塵埃が入ることを抑制する不図示のエアフィルタである。２１は、画像・制御等の各種信号を取り込むコネクタ（インターフェース）が搭載されるインターフェース基板ユニットで、投射レンズユニット５の投射光学系に関して光学冷却ファンＡ１０、光学冷却ファンＢ１１と反対側に設けられる。
【００２３】
インターフェース基板ユニット２１には、色分離合成光学系βに配置される反射型液晶表示素子から出るＦＰＣ（フレキシブルプリントケーブル）が接続される。更に、インターフェース基板２１は、不図示の板金部材によって保持され、外装キャビネット１８に固定される。
【００２４】
３０は投射レンズユニット５を光軸に直交する方向で筺体の上下左右に移動可能とし、不図示のスクリーンへ投射した画像の位置を詳細に調整するレンズシフトである。３１は電源８からの電力により液晶パネルの駆動、及びランプ１への点灯指令、複数のファンへの駆動指令を送ることを主とする不図示の制御基板であり、前述のインターフェース基板ユニット２１と電気的に接続される。
【００２５】
（光学構成）
次に、前述したランプ１、照明光学系α、色分離合成光学系β、投射レンズユニット５にて構成される反射型液晶表示素子（反射型液晶パネル等の画像形成素子）を搭載した投射型画像表示装置の光学構成について図１（ａ）にて説明する。
【００２６】
図１（ａ）において，４１は連続スペクトルで白色光を発光する発光管、４２は発光管４１からの光を所定の方向に集光するリフレクタであり、発光管４１とリフレクタ４２によりランプ１を形成する。３は前述の通り光源ランプ１からの光を集光する機能を備えた防爆凸レンズ、４３はフライアイレンズＡ、４４はフライアイレンズＢで、フライアイレンズＡ４３と共に光源ランプ１からの光を複数の光束に分割する光束分割手段である。
【００２７】
４５はランプ１からの方向性の無い光（無偏光光）を所定の偏光光に変換する偏光変換機能を備えた偏光変換素子、４６は光軸を変換するための全反射ミラー、４７ａはコンデンサーレンズＡ、４７ｂはコンデンサーレンズＢである。コンデンサーレンズＡ、コンデンサーレンズＢは、前述のフライアイレンズＡ４３ａと、フライアイレンズＢ４３ｂにて分割された複数の光束を反射型表示素子に重ねて照明するための集光手段である。以上により、照明光学系αが構成される。
【００２８】
４８は青色（Ｂ）と赤色（Ｒ）の波長領域の光を反射し、緑色（Ｇ）の波長領域の光を透過するダイクロイックミラー、４９はトリミングフィルタでＲの色純度を高めるためにＲ帯域の光の使用する波長域を制限する手段である。５０はワイヤーグリッド偏光板で反射型の偏光選択手段、５１はカラーセレクトで所定の波長域の光の偏光方向を変換する波長選択性位相板である。
【００２９】
５２は偏光分離面を有する第1の偏光ビームスプリッタ、５３は偏光分離面を有する第２の偏光ビームスプリッタである。５４は青色（Ｂ）と緑色（Ｇ）に対してはダイクロイック作用し、赤色（Ｒ）については偏光ビームスプリッタと同等に作用する合成プリズムである。５５は青色（Ｂ）用の偏光選択手段である青色用偏光板、５６は緑色（Ｇ）用の偏光選択手段である緑色用偏光板、５７Ｒ、５７Ｇ、５７Ｂはそれぞれ、Ｒ用１／４波長板、Ｇ用１／４波長板、Ｂ用１／４波長板である。
【００３０】
５８Ｒ、５８Ｇ、５８Ｂはそれぞれ、入射した光を反射するとともに画像変調するＲ用反射型液晶表示素子、Ｇ用反射型液晶表示素子、Ｂ用反射型液晶表示素子である。以上のダイクロイックミラー４８から５８Ｒ、５８Ｇ、５８Ｂの各色の反射型液晶表示素子によって色分離合成光学系βが構成される。
【００３１】
（冷却構成）
次に本実施形態の投写型表示装置における冷却構成について図３を用いて説明する。本投写型表示装置は前述の通り、冷却および排熱用のファン１０、１１、１４、１６として４つのファンを備える。そして、４つの冷却および排熱用ファンによる２つの流路（風路）Ａ、Ｂを、図３に実線の矢印、破線の矢印として示す。
【００３２】
１）流路Ａ
光学冷却ファンＡ１０および光学冷却ファンＢ１１およびランプ冷却ファン１６の回転によって、筐体外の空気が吸気口１８ａからエアフィルタ２０を通り筐体内へ流入する。エアフィルタ２０を通って筐体内に流入した空気は、光学冷却ファン吸気ダクト１２を通って光学冷却ファンＡ１０および光学冷却ファンＢ１１に吸気される。
【００３３】
光学冷却ファンＡ１０から排気された空気は、光学冷却ファン排気ダクトＡ１３ａを通り色分離合成系βに向かって流れ、色分離合成系βの赤色（Ｒ）用と青色（Ｂ）用の光学素子および反射型液晶表示素子を冷却する。光学冷却ファンＢ１１から排気された空気は、光学冷却ファン排気ダクトＢ１３ｂを通り、色分離合成系βに向かって流れ、色分離合成系βの緑色（Ｇ）用の光学素子および反射型液晶表示素子を冷却する。
【００３４】
色分離合成系を冷却した空気は、インターフェース基板ユニット２１へ流れる。ここで、ランプ冷却ファン１６は、前述の光学冷却ファンＡ１０および光学冷却ファンＢ１１から排気されインターフェース基板ユニット２１へ流れた空気を吸気する。そして、ランプ冷却ファン１６の吸気により、インターフェース基板ユニット２１に対して空気の対流が発生し、インターフェース基板ユニット２１を冷却する。
【００３５】
ランプ冷却ファン１６が排出した空気は、ランプ冷却ダクト１７を通り、偏光変換素子４５およびランプ１に向かって流れる。偏光変換素子４５に向かって流れた空気は、偏光変換素子４５を冷却した後に、ランプ１の周辺且つ後述する排気ファン１４の風路に流れ込む。また、ランプ１に向かって流れた空気は、ランプホルダ２に設けられた不図示の開口により、ランプ１およびランプホルダ２および防爆凸レンズ３にて構築された空間に流入し、ランプ１の発光管４１を冷却する。
【００３６】
発光管４１を冷却した空気は、ランプホルダ２に設けられた不図示の開口にてランプユニット４から排出される。ランプユニット４から排出された空気は、後述する排気ファン１４の流路（風路）に流れ込む。
【００３７】
２）流路Ｂ
次に図３にて破線の矢印で表す流路（風路）Ｂについて説明する。排気ファン１４の回転によって、筐体外の空気が筐体吸気部１８ａからエアフィルタ２０を通り筐体内へ流入する。エアフィルタ２０を通って筐体内に流入した空気は、電源８と制御基板３１およびバラスト９を冷却した後に、排気ファン１４に吸気される。排気ファン１４から排気された空気は、ランプユニット４全体を冷却し、且つ前述のランプ１および偏光変換素子４５を冷却した空気と共に排気口１８ｂより筐体外へ排気される。
【００３８】
３）流路Ａに関する構成・作用
ここで、流路Ａに関し、色分離合成系βの冷却構成と部品配置および周辺の構成の詳細について説明する。先ず、図１（ｂ）を用いて、色分離合成系βの冷却構成についてファンの吸気側を説明する。光学冷却ファンＡ１０および光学冷却ファンＢ１１は、光学冷却ファン吸気ダクト１２に保持され、各々の吸気部（第１の吸気部、第２の吸気部）が、バラスト９に対して、上下方向、水平方向と互いに直交するように配置される。また、光学冷却ファンＡ１０と光学冷却ファンＢ１１が直角に配された対角位置には、光学冷却ファン吸気ダクト１２を介してバラスト９が外装に固定される。
【００３９】
バラスト９は、ランプ１に近接して配置される。また、光学冷却ファンＡ１０の上部には、制御基板３１が水平方向に配置される。なお、このように部品を配置することで、隣接するレンズシフト３０の高さよりも低い部品配置となっている。
【００４０】
光学冷却ファンＡ１０と光学冷却ファンＢ１１の駆動によって、筺体前面の不図示の筐体吸気部１８ａから筺体外の空気を取り込み、エアフィルタ２０を通って直角に配置された各ファンの吸気部に向かって空気が流れ、各ファンに吸気される。また、排気ファン１４の駆動によって、筺体前面の不図示の筐体吸気部１８から筺体外の空気を取り込み、排気ファン１４の吸気面かつ筺体背面に向かって直線的に空気を流しバラスト９と電源８、制御基板３１を冷却する。
【００４１】
排気ファン１４から排気された空気は前述の通りランプユニット４全体を冷却し、且つ前述のランプ１および偏光変換素子４５を冷却した空気と共に、筐体排気部１８ｂより筐体外へ排気される。
【００４２】
次に、図４を用いて光学冷却ファンＡ１０の排気側の流路を説明する。光学冷却ファンＡ１０から排気された空気は、光学冷却ファンダクトＡ１３ａを通り、赤色（Ｒ）用と青色（Ｂ）用の光学素子および反射型液晶表示素子を冷却する。まず青色（Ｂ）用の流路について説明する。光学冷却ファンダクトＡ１３ａを通る空気は、ダクトの高さ位置が維持されるため、筐体の高さ方向の流路の変換が無いまま、矢印の通りにダクトの排気口に向かって流れる。その後、Ｂ用１／４波長板５７ＢとＢ用反射型液晶表示素子５８Ｂ（第１の画像変調素子）に対し、直線的に空気を流し冷却する。
【００４３】
次に、赤色（Ｒ）用の流路について説明する。光学冷却ファンダクトＢ１３ａを通る空気は、矢印の通り流れ筺体の高さ方向を若干変換しダクトの排気口に向かって流れる。この時、分岐する流路を設け、一部をトリミングフィルタ４９とワイヤーグリッド偏光板５０とカラーセレクト５１に向かって空気を流し冷却する。残りの空気はその後Ｒ用１／４波長板５７ＲとＲ用反射型液晶表示素子５８Ｒに対し、直線的に空気を流し冷却する。
【００４４】
次に、図５を用いて光学冷却ファンＢ１１の排気側の流路を説明する。光学冷却ファンＢ１１から排気された空気は、光学冷却ファンダクトＢ１３ｂを通り、緑色（Ｇ）用の光学素子および反射型液晶表示素子を冷却する。光学冷却ファンダクトＡ１３ｂを通る空気は、ダクトの高さ位置が維持されるため、筐体の高さ方向の流路の変換が無いまま、矢印の通りにダクトの排気口に向かって流れる。その後、Ｇ用１／４波長板５７ＧとＧ用反射型液晶表示素子５８Ｇ（第２の画像変調素子）に対し、直線的に空気を流し冷却する。
【００４５】
ここで、図５に示したＧ用反射型液晶表示素子５８Ｇを冷却する流路に対して、図４に示すＢ用反射型表示素子５８Ｂを冷却する流路と、Ｒ用反射型液晶表示素子（第３の画像変調素子）５８Ｒとは、途中分岐した１つのダクトで構築されている。すなわち、光学冷却ファンダクトＡ１３ａは、途中からＢ用反射型表示素子５８Ｂを冷却する流路と、Ｒ用反射型液晶表示素子５８Ｒを冷却する流路(第３の導風手段を構成)と、に分岐部を用いて分岐されている。以下、分岐する理由について説明する。
【００４６】
３色分離合成するプロジェクタの光学系は、３色の画像変調素子各々の発熱量で比較すると、３色合成する際の照度に対する寄与率は緑色（Ｇ）が最も高く発熱量が最も大きい。次に発熱量が大きいのが青色（Ｂ）で、最も発熱量が低いのが赤色（Ｒ）である。
【００４７】
このように、Ｇ用反射型液晶表示素子５８Ｇの冷却に対して必要な送風量は、Ｂ用、Ｒ用反射型液晶表示素子５８Ｒ、５８Ｂの冷却に対して必要な送風量よりも大きい。上記を考慮すると、最も発熱量の大きい緑色（Ｇ）の流路に対して、青色（Ｂ）と赤色（Ｒ）を途中分岐した同一ダクトで冷却する流路にした方が、各ファンにかかる負荷のバランスが良く構成できる。また、３色の流路を２つのダクトで構築できるため小型化にも効果がある。
【００４８】
言い換えれば、Ｇ用反射型液晶表示素子５８Ｇに対して送風される風量が、他の反射型液晶表示素子５８Ｒ、５８Ｂに対して多くなるようにダクトを構成する。より具体的に言えば、Ｇ用反射型液晶表示素子５８Ｇを冷却するダクトの断面積が、分岐部により分岐された後のＢ用反射型液晶表示素子５８Ｂを冷却するダクトよりも大きくなるよう構成する。或いは、Ｇ用反射型液晶表示素子５８Ｇを冷却するダクトの断面積が、分岐部により分岐された後のＲ用反射型液晶表示素子５８Ｒを冷却するダクトの断面積よりも大きくなるよう構成する。
【００４９】
または、Ｇ用反射型液晶表示素子５８Ｇを冷却する風速が、Ｂ用反射型液晶表示素子５８Ｂを冷却する風速よりも大きくなるよう構成する。或いは、Ｇ用反射型液晶表示素子５８Ｇを冷却する風速が、Ｒ用反射型液晶表示素子５８Ｒを冷却する風速よりも大きくなるよう構成する。
【００５０】
４）流路Ｂ(破線)に関する構成・作用
発熱体としての電源８は、第１の送風手段および前記第２の送風手段に対向する空間に設けられ、排気ファン１４の吸気する筐体吸気部１８ａからの空気によって、バラスト９と共に冷却される。また、光源ユニット６が筐体吸気部と前記筐体排気部を結ぶ流路中に設けられ、筐体排気部１８ｂに向かう排気ファン１４の排気によって、ランプ１およびその周辺が冷却される。１５は排気ファン１４を保持する排気ファンホルダである。
【００５１】
１６はランプ冷却ファンであり、ランプ冷却ファン１６の吸気する空気によって後述するインターフェース基板ユニット２１を冷却し、排気によって偏光変換素子４５とランプ１を冷却する。１７はランプ冷却ファン１６から排気された空気を導風するランプ冷却ダクト、１８は外装キャビネット（外装ケース下部）であり、筐体内に外気を取り込む筐体吸気部１８ａと筐体外に排熱する筐体排気部１８ｂを備える。１９は外装キャビネット１８と組み付き筐体全体を覆う不図示の外装キャビネット蓋（外装ケース上部）である。
【００５２】
上記構成により、本実施形態によれば、２つの送風手段を直角（Ｌ字状）に配置することで、筺体高さ方向の小型化を実現し且つ、高さ方向の送風流路の変化が無いため、高効率な冷却構成を実現できる。また、２つの送風手段を直角に配置すると共に、２つのファンの対角となる位置に発熱体を配置することで、送風手段の吸気部から離れた位置で、吸気効率の低下を抑えながらスペースを活用し、筺体の小型化を実現できる。
【００５３】
また、発熱体は光源を点灯する電源回路であることから、光学系に連結して接続される光源と電源回路が近くなることで、電源回路と光源を接続するケーブルから放射されるノイズの量を低減できる。また、高さ方向に色の分離合成する光学系に本構成を適用することで、筺体の側面方向に冷却され効率の高い冷却を実現することができる。
【００５４】
また、反射型画像変調素子を配置することで、画像表示面の反対面に一般的に配置される放熱用のヒートシンクを空冷でき、画像変調素子の寿命を長寿命化できる。また、投射面側である筐体前面に筐体吸気部を設け、反対側である背面側である筐体後面に筐体排気部を設けることで、筺体内の空気の吸気および排気を直線的に行うことができるので高い冷却効率を得ることができる。
【００５５】
（変形例）
以上、本発明の好ましい実施形態について説明したが、本発明はこれらの実施形態に限定されず、その要旨の範囲内で種々の変形及び変更が可能である。
【００５６】
（変形例１）
上述した実施形態では、光学冷却ファンＡ１０、光学冷却ファンＢ１１として、流路が直交する吸気部および排気部を備えたシロッコファンを用いたが、流路が同じ方向である吸気部および排気部を備えたファンを用いても良い。
【００５７】
（変形例２）
上述した実施形態では、光学冷却ファンＡ１０、光学冷却ファンＢ１１をＬ字状に直交配置したが、Ｔ字状に直交配置しても良い。
【符号の説明】
【００５８】
５・・投射レンズユニット、１０・・光学冷却ファンＡ、１１・・   光学冷却ファンB、１３ａ ・・光学冷却ファン排気ダクトＡ、１３ｂ・・光学冷却ファン排気ダクトＢ、５８Ｒ     ・・Ｒ用反射型液晶表示素子、５８Ｇ・・Ｇ用反射型液晶表示素子、５８Ｂ・・Ｂ用反射型液晶表示素子
【図１】
2014191165.tif 000003
【図２】
2014191165.tif 000004
【図３】
2014191165.tif 000005
【図４】
2014191165.tif 000006
【図５】
2014191165.tif 000007